(57)【要約】【課題】フィルムシールタイプの栓体を有する採血管を開栓するに際し、血液の飛散による二次感染を抑制するだけでなく、先の検体による次の検体への汚染を防止する機構を提供するものである。【解決手段】採血管の栓体を打ち抜く開栓カッターと、打ち抜かれた開栓部分を保持する保持ピンを開栓ブロックに設け、一の採血管ごとに開栓ブロックを用いて開栓し、その使用した開栓ブロックはその都度廃棄して、検体間の汚染を抑制する。【選択図】図１１
2008184168.tif 000002
【特許請求の範囲】
【請求項１】
フィルムシールタイプの栓体を有する採血管の開栓装置であって、採血管の栓体を開栓し、かつ、開栓された栓体部分を保持する開栓ブロックと、該開栓ブロックを把持する開閉チャックと、該開栓チャックを制御する開閉チャック制御手段とを有し、開閉チャックが供給ポジションに移動して開栓ブロックを把持し、続いて開栓ブロックを把持した開閉チャックが開栓ポジションに移動して、開閉ブロックが採血管の栓体を開栓し、開栓された栓体部分を開栓ブロックが保持し、さらに開栓ブロックを把持した開栓チャックが廃棄ポジションに移動して、開閉チャックから開栓ブロックを離脱させることを特徴とする開栓装置。
【請求項２】
請求項１の開栓ブロックは、底面を有する円筒内に、栓体を開栓する開栓カッターと円筒の軸線上に開栓された栓体部分を刺し抜いて保持する保持ピンとを、底面に垂直に付けた開栓部分と、開閉チャックが、開栓ブロックを把持するため、開栓部分の底面の裏面に付けた筒状の把持部分と、により構成されることを特徴とする開栓ブロック。
【請求項３】
さらに、該開栓部分において、開栓カッターは、円筒と同心円状であり、その先端部はのこぎり刃状とし、保持ピンは、底面を基準として開栓カッターの、のこぎり刃状の先端部の長さより長くしたことを特徴とする請求項２の開栓ブロック。
【請求項４】
さらに、該開栓部分の円筒の先端部は、採血管開口部のフランジ部を覆うようにした請求項２または請求項３のいずれかの開栓ブロック。
【請求項５】
さらに該把持部分の筒状先端部の内周または外周にリブをつけた請求項２乃至請求項４のいずれかの開栓ブロック。
【請求項６】
請求項２乃至請求項５のいずれかの開栓ブロックを使用した請求項１の開栓装置。
【請求項７】
前記開閉チャックを複数連とし、一度に複数の採血管を開栓できるようにした請求項１または請求項６の開栓装置。
【請求項８】
請求項１、請求項６、または請求項７のいずれかに記載の採血管の開栓装置において、連続的に作動できるようにプログラムされた採血管の開栓システム。
【発明の詳細な説明】
【技術分野】
【０００１】
本発明は、検体である血液の飛散等による二次感染や、検体間の汚染を抑制させるための、採血管の開栓に係わるものである。
【背景技術】
【０００２】
臨床検査における採血では、種々の採血管が使用されている。最近ではガラス製より軽く、落下しても破損しない樹脂製の採血管が主に使用されている。
【０００３】
採血管とその栓体を図１及び図２を使って説明する。樹脂製採血管１は、円形の開口部１３の外周にフランジ部１２を有する樹脂製有底管１１と、アルミ箔等の金属箔に樹脂をコーティングし、その中央部に採血針４１（図３）を刺し通すためのゴム部材２１の接着等をし、樹脂コーティングの外周の一部にタブ２２を設けた栓体２とからなっている。タブ２２は、手作業で開栓するときの摘み部分となるものである。前記採血管１は、内圧を減圧した状態で、樹脂有底管11の開口部13に熱溶着等の方法で栓体２が接着され、真空採血管と呼ばれている。ここでは、樹脂製採血管や減圧された真空採血管も採血管１に含まれるものとし、金属箔を樹脂がコーティングしているかどうかを問わず、樹脂製のフィルムを使用し、中央にゴム部材２１を有する栓体をフィルムシールタイプの栓体２というものとする。以下特に断りがない限り、栓体とした場合には上記フィルムシールタイプの栓体２をいうものとする。
【０００４】
採血ホルダーについて図３を用いて説明する。血液検査を行うための採血に際して、採血管1は前述のように減圧状態とされた真空採血管１として使用されている。図３に示すように、採血時には、採血ホルダー４に採血針４１としての注射針を取り付け、採血針４１の先端部４２を血管内（図示しない）に刺した後、真空採血管１を採血管ホルダー４内に差し込み、採血針４１の後端部４３が真空採血管１の開口部１３に接着された栓体２を刺し抜くことにより、血管内と真空採血管１を連絡させる。真空採血管１内は減圧されているため、血液３は自動的に真空採血管１内に流入し採血が行われる。真空採血管1を採血管ホルダー4内から後退させ、採血針４１の後端部４３を栓体２から引き抜くことにより採血は終了する。栓体２は空気非透過性でありゴム部材２１により採血針４１が刺通可能に、かつ採血針４１が抜けた後も気密性が維持できるように構成されている。採血管１には、開口部１３の直径や有底管１１の長さが異なるものがあるが、有底管１１の開口部１３のフランジ１２の大きさとゴム部材２１の大きさは共通となっていて、採血作業の安定化のため１種類の採血ホルダー４にて採血できるようにされている。
【０００５】
血液検査作業において、実験室レベルでは、作業者が手作業で栓体２のタブ２２を摘んで開栓するが、採血管１内は採血されていても、やや減圧した状態にあり、栓体２のフィルムを剥がすとき瞬間的に減圧がとかれ、血液が外部に飛散したり、あるいは手作業によるため、血液による他の検体への汚染や作業者への二次感染の危険性がある。以下検体という場合には、特に断りがない限り血液を意味するものとする。
【０００６】
こうした手作業による作業環境への汚染や二次感染の危険性を解消し、さらに血液検査の効率化のため採血管開栓作業の自動化が提案されている。
採血管の栓体を中空の打ち抜きパンチにより開栓し、打ち抜かれた打ち抜き片を減圧空間に把持させて処理する方法（特許文献１）、採血管の栓体表面に接着テープの接着面を接着させその接着テープを引っ張ることにより採血管開口部を封口している栓体を剥離して開栓する方法（特許文献２）等がある。
【特許文献１】特許公開平６−６４６８８
【特許文献２】特許公開平９−２４０３８
【０００７】
また近年、分析機器等が高性能化され、分析精度が向上し、検体である血液に微量でも他の物質例えばその検体以外の他の検体が少しでも混入すれば、その検査結果は実体とは異なるものとなり、誤診につながる恐れもある。
採血管を開栓したカッター等の治具をさらに次の採血管の開栓に使用する場合、該治具に先の採血管を開栓したときの検体が付着し、次の採血管の開栓時にこの採血管内にある検体を汚染するいわゆる検体間での汚染の可能性もある。そこで、検体の汚染をより抑制できる採血管の開栓機構として、栓体を打ち抜く開栓カッターを採血管毎に交換する方法がある（特許文献３）。その出願によれば、栓体である蓋部を打ち抜く開栓カッターとカッター保持具を装備し、開栓カッター保持具に開栓カッターを装着し栓体を打ち抜き、打ち抜かれ栓体部分を開栓カッター保持具に別に設けられたニードルに保持させ、ニードルを進退運動させて打ち抜かれた栓体部分を廃棄し、さらに開栓カッターも開栓カッター保持具より離脱させて、開栓カッターを新たなものに交換していく機構としている。本法により検体の汚染は、より抑制することが可能である。
【特許文献３】特許公開２００５−２０６１８０
【０００８】
しかし前記発明では、打ち抜かれた栓体部分を保持するニードルが採血管毎に交換されていないため、採血管の栓体を刺し抜いたニードルに検体が付着し、次の採血管の開栓時に、先の検体が付着したニードルが栓体を刺し抜いて、後の検体に触れその検体を汚染する、検体間での汚染の恐れがある。なお、以下ニードルに替え保持手段または保持ピンと称することとする。
【発明の開示】
【発明が解決しようとする課題】
【０００９】
そこで、本発明は、より検体間の汚染を抑制することができる採血管の開栓装置を提供しようとするものである。
【課題を解決するための手段】
【００１０】
本発明では、前記課題を解決するため、開栓ブロックに採血管の栓体を開栓する開栓手段と、開栓された栓体部分を保持する保持手段とを設け、１本の採血管毎に１個の開栓ブロックを交換して開栓し、開栓に使用した開栓ブロックは廃棄して、検体間の汚染を抑制するものである。
【００１１】
すなわち第１の発明は、フィルムシールタイプの栓体を有する採血管の開栓装置であって、採血管の栓体を開栓し、かつ、開栓された栓体部分を保持する開栓ブロックと、該開栓ブロックを把持する開閉チャックと、該開栓チャックを制御する開閉チャック制御手段とを有し、開閉チャックが供給ポジションに移動して開栓ブロックを把持し、続いて開栓ブロックを把持した開閉チャックが開栓ポジションに移動して、開閉ブロックが採血管の栓体を開栓し、開栓された栓体部分を開栓ブロックが保持し、さらに開栓ブロックを把持した開栓チャックが廃棄ポジションに移動して、開閉チャックから開栓ブロックを離脱させることを特徴とする開栓装置である。
【００１２】
開栓ブロックには、採血管の栓体を開栓する手段と、開栓された栓体部分を保持する手段が設けられている。「開栓された栓体部分」としたのは、有底管を封口している栓体のすべてを剥離して開栓するのではなく、栓体の一部を切断等して開栓し、その切断された栓体の一部を開栓ブロックが保持するためである。複数の開栓ブロックがフィーダー等に並べて置かれている供給ポジションにて、１つの開栓ブロックを、開閉チャックが把持し、採血管のある開栓ポジションに移動する。開栓ポジションにて開栓ブロックが採血管の栓体を開栓し、開栓された栓体部分を開栓ブロックが保持する。この栓体部分を保持した開栓ブロックを開閉チャックが把持したまま、廃棄ポジションに移動し、開閉チャックより開栓ブロックを離脱させて、開栓された栓体部分と共に廃棄する。開閉チャックの制御手段は開栓チャックの移動だけではなく、開栓ブロックの把持及び離脱等も制御するものである。供給ポジションとは、開閉チャックが開栓ブロックを把持する位置、開栓ポジションとは、開閉チャックに把持された開栓ブロックが採血管の栓体を開栓する位置、廃棄ポジションとは、開閉チャックが開栓ブロックを離脱させる位置をいう。各ポジションの位置は同一平面上にあるとは限らない。開閉チャックが開栓ブロックを把持する方法としては、開栓ブロックに開閉チャックの把持部分を設けてこの部分を把持する、あるいは、開栓ブロックの外壁を挟んで把持する方法等があるが、把持する方法については問わない。１本の採血管に対し１個の開栓ブロックを使用して開栓し、一度使用した後は廃棄するディスポーザブルな開栓ブロックとして機能する開栓装置である。
【００１３】
第２の発明は、上記開栓装置に使用する開栓ブロックが、底面を有する円筒内に、栓体を開栓する開栓カッターと円筒の軸線上に開栓された栓体部分を刺し抜いて保持する保持ピンとを、底面に垂直に付けた開栓部分と、開閉チャックが開栓ブロックを把持するため、開栓部分の底面の裏面に付けた筒状の把持部分と、により構成されることを特徴とする開栓ブロックである。
【００１４】
採血管の栓体を開栓する手段としての開栓カッターと、開栓された栓体部分を保持する手段としての保持ピンとを開栓ブロックに設けたものである。開栓ブロックの開栓部分には、開栓カッターと保持ピンが円筒内の底面に垂直に設けられている。円筒内の底面と採血管の栓体は、開栓時には、ほぼ水平で、互いに平行であり、開栓カッター及び保持ピンが栓体に対し垂直になるようにするためである。保持ピンが栓体の中央部にある採血針を刺し通すためのゴム部材を刺し抜き、ついで開栓カッターで栓体を打ち抜き、打ち抜かれた栓体部分を保持ピンが保持するものである。ここで「打ち抜き」、あるいは「打ち抜かれる」としたのは、開栓カッターが栓体に押し込むようにして切断するためであり、開栓すると同意義であり、また打ち抜かれた栓体部分は開栓された栓体部分と同意義である。開栓部分と把持部分は、隔壁としての底面を境にして互いに反対側に設けられている。この開栓部分は採血管に合わせるため円筒としている。底面に対し開栓部分と反対側にある把持部分は開閉チャックにより把持されやすい形状であれば足り、円筒に限る必要はない。しかし把持部分も円筒とし、さらに開栓部分の円筒と同じ径とすることもできる。
【００１５】
第３の発明は、該外開栓部分において、開栓カッターは、円筒と同心円状であり、その先端部はのこぎり刃状とし、保持ピンは、底面を基準として開栓カッターの、のこぎり刃状の先端部の長さより長くしたことを特徴とする発明２の開栓ブロックである。
【００１６】
まず、保持ピンが栓体のゴム部材を刺し通し、打ち抜かれる栓体部分を保持し、次いで開栓カッターにより栓体を打ち抜き開栓するが、打ち抜かれた開栓部分が検体内に落下しないようにするためである。そのために開栓カッターより保持ピンを長くし、開栓カッターより先に保持ピンを栓体に接触させゴム部材を刺し通すためである。開栓カッターをのこぎり刃状としたのは、開栓カッターに金属製の刃物を使用することなく、開栓カッターも円筒部と同時に射出成形により一体として形成される場合もあり、先端の鋭角な形状により栓体を打ち抜いて切断するためである。またのこぎり刃状とすることで採血管内の減圧状態を徐々に緩めることができ、検体の飛散を防ぐことも可能である。
【００１７】
第４の発明は、該開栓部分の円筒の先端部は、採血管開口部のフランジ部を覆うようにした発明２または３の開栓ブロックである。
【００１８】
フランジ部外壁と、開栓部分の円筒の先端部を嵌合させることにより、検体の有底管外への飛散を防止するためであり、開栓ブロックは検体が付着しても廃棄されるため、次採血管内の検体を汚染することはないためである。採血管開口部は有底管の開口部でもあり、採血管フランジ部は有底管フランジ部でもある。
【００１９】
第５の発明は、把持部分の筒状先端部の内周または外周に開閉チャックで把持しやすいようにリブをつけた発明２乃至４のいずれかの開栓ブロックである。
【００２０】
リブをつけることにより、開閉チャックの開閉ピンがリブ部で止まり、開閉チャックから開栓ブロックの落下を防止するためである。筒状先端部の内周または外周としたのは、開閉チャックが開栓部分の筒状の内壁を圧接して把持する場合あるいは外壁を挟んで把持する場合があるためである。
【００２１】
第３から第５の発明については、そのいずれかの発明を単独で、あるいはいずれかの発明を複数併せて、さらにはすべての発明を併せて第２の発明である開栓ブロックとすることができる。
【００２２】
第６の発明は、上記各種の開栓ブロックを使用した開栓装置である。栓体の開栓手段と開栓された栓体部分の保持手段とを設けた開栓部分と、把持開閉チャックにより把持させる把持部分とを有する開栓ブロックを使用することにより、この開栓装置の発明が実施できる。
【００２３】
第７の発明は、第１または第６の発明である開栓装置において、前記開閉チャックを複数連とする開栓装置である。
【００２４】
開栓チャックを複数連とすることにより開栓チャックの１回の移動で、複数の開栓ブロックを把持し、複数の採血管を開栓させることができ、開栓作業の効率化を図るためである。
【００２５】
第８の発明は、第１、第６、または第７の発明のいずれかに記載の採血管の開栓装置において、採血管の開栓作業を連続的に作動できるようにプログラムされた採血管の開栓システムである。
【００２６】
本開栓装置は、開栓ブロックを供給ポジションに固定させ、開閉チャックにて開栓ブロックを把持し、採血管が固定された開栓ポジションに開閉チャックが移動し、採血管を開栓し、開栓された栓体部分を保持した開栓ブロックを廃棄ポジションにまで移動させ廃棄する一連の作業を連続的に行うものである。しかし、この一連の作業を連続的に行うためには、供給ポジションへの開栓ブロックの移動と配置、採血管の開栓ポジションへの移動と固定、開栓の確認、開閉チャックの各ポジションでの位置確認等の作業と連動させることが必要である。こうした各作業を連動するためにプログラムされた開栓システムにより、この開栓装置が連続的に作動することになる。
【発明の効果】
【００２７】
分析機器の高度化に伴い、検体である血液の汚染はできる限り回避する必要がある。本発明は、開栓カッターと保持ピンを設けた開栓ブロックをディスポーザブルなものとする開栓装置であり、これまでの開栓装置に比べより検体間の汚染を抑制することが可能となり、検査の正確度を向上させることができ、広く採用されるものと予想される。
【発明を実施するための最良の形態】
【００２８】
以下この発明を、図４から図１３を用いて説明する。
【実施例１】
【００２９】
図４は、開栓ブロック５の概略図である。実際の使用状態とは上下が反対になっている。開栓カッター５３が、開栓部分５１の円筒内に、円筒と同心円状に設けられ、その中心上に保持ピン５４が立てられている。底面５８を基準として、保持ピン５４の長さは、開栓カッター５３の先端部より長くなっている。開栓時には、まず保持ピン５４が、栓体２の中心部にあるゴム部材２１を刺し通し、続いて開栓カッター５３が栓体２を打ち抜いて開栓する。打ち抜かれた栓体部分２３は、保持ピン５４が保持し開栓ブロック５と共に移動し廃棄される。開栓カッター５３はその先端がのこぎり刃状となっている。底面５８に対して開栓部分５１と反対側にある把持部分５２も円筒となっている。図４では、開栓部分５１の円筒と把持部分５２の円筒の径が異なっているが、開閉チャック６の大きさに合わせるためであり、開栓部分５１と把持部分５２の円筒の径は、同一であってもよい。
【００３０】
図５は、打ち抜かれた栓体部分２３を保持ピン５４が保持している図である。保持ピン５４は、滑りにくい栓体のゴム部材２１を刺し通して打ち抜かれた栓体部分２３を保持しているので落下する恐れはほとんどないが、より確実に保持ピン５４からの落下を回避するため図６のように留部５５のようないわゆる段差を付けた保持ピン５４とすることもできるし、図示しないが保持ピンの表面に滑り止めのための細かな突起部をつけたり、あるいは保持ピンの外周にリング状の凸凹をつけることも可能である。なお、図５、図７、図１１の栓体２のタブ２２は有底管１１の側面に接するように折れ曲がっている。
【実施例２】
【００３１】
図７は、同じ円筒内に底面（隔壁）５８を設けて開栓部分５１と把持部分５２とに分けて形成された開栓ブロック５である。有底管１１開口部１３のフランジ部１２を開栓ブロック５の開栓部分５１の先端の円筒が覆うようにして、検体である血液３の有底管１１外への飛散を防いでいる。なお、図示しないが、開栓部分５１の先端の円筒の内径を有底管１１のフランジ部１２に嵌合させるため凹状とすることもできる。
【００３２】
図８は把持部分５２の筒状の内壁に開閉チャック６の開閉ピン６１を圧着させて保持させるための開栓ブロック５であり、開閉ピン６１の開閉も開栓ブロック５の動きと同様に開閉チャック制御手段により制御される。図９は把持部分５２の先端部の内周面にリブ５６を付けて、開栓ブロック５が開栓チャックより落下しないようにした開栓ブロック５である。図１０は、把持部分５２の円筒外壁を開閉ピン６１が挟み開栓ブロックを把持する開閉チャック６であり、把持部分５２の先端部の外周面にリブ５６を付けている。さらに開栓チャック６には、開栓ブロック５の離脱を確実にするため図８に示すように押出しピン６２を付けることもできる。押出しピンも開栓ピンと同様に開閉チャック制御手段により制御される。また同様の目的で、図示しないが押出しピンに代わりにバネをつけることもできる。
【００３３】
開栓ブロック５は、１回限りの使い捨てであり、安価に製造することが望まれる。樹脂材料の射出成形により開栓ブロックは比較的安価に製造することができる。採血管１の栓体２は、中央にゴム部材２１を有するフィルムシールタイプであり、樹脂製の開栓カッター５３であっても、その形状をのこぎり刃状とし、あるいは先端を鋭角とすることにより、栓体を打ち抜き開栓することができ、保持ピンではその先端を尖角にすることによりゴム部材を刺し通すことができる。開栓ブロックはディスポーザブルなものであり、比較的安価な材料であるポリプロピレンやＡＢＳの射出成形により、開栓作業に耐える開栓ブロックを作製できる。ただし開栓ブロックの材料、作製方法等については、これに限るものではない。
【実施例３】
【００３４】
図１１は、開栓ブロック５の動きを示したものである。なお、図１１は、詳細な符号の付記は省く。開閉チャック６は、水平スライダー９と上下スライダー１０に沿って図示しない開閉チャック制御手段により移動できるようになっている。開栓ブロック５は開栓ブロック用フィーダー８に搭載されている。開栓ブロック用フィーダー８は図１１図面の表面より裏面に向かって移動していく。開閉チャック６が下降し、供給ポジションにて、開閉ピン６１が開栓ブロック５の筒状の把持部分内に入り開閉ピン６１が開いてその内壁を圧接し、開栓ブロック５を把持して上昇する。
【００３５】
次に、開閉チャック６に把持された開栓ブロック５は、水平移動及び下降移動して採血管１がクランプ４０により固定されている開栓ポジションにきて、採血管１の栓体２を打ち抜いて採血管１の開栓を行う。打ち抜かれた栓体部分２３を保持した開栓ブロック５は上昇し、つぎに下方に開栓ブロック収容箱２０が準備された廃棄ポジションに水平移動して開閉チャック６の開閉ピン６１が閉じて開栓ブロック５を離脱させ廃棄する。なお、この開閉チャック６は把持部分５２の筒状内面を圧接により把持するものである。
【実施例４】
【００３６】
図１２は、供給ポジション、開栓ポジション、廃棄ポジションに位置関係の一例である。図１２では、開閉チャック６は、廃棄ポジションの位置にある。開閉チャックは、図１２の左側の供給ポジションに移動する。開栓ブロック６、採血管１は、それぞれ、５個入りの開栓ブロック用フィーダー８、採血管用ラック７に搭載され、開栓ブロック用フィーダー８、採血管用ラック７は図１２の表面から裏面に開閉チャック６の動きに連動させて移動する。
【００３７】
図１２において、開閉チャック６を５つの複数連として採血管１のラックごとに一度に開栓することも可能である。この場合には、開栓ブロック収容箱２０の形状も変わってくる。
【実施例５】
【００３８】
図１３は、開栓ポジションと開栓確認センサー３０の位置関係を示すものである。採血管１が５本ごとに採血管用ラック７に搭載され、開栓ポジションに送られる。図示しない位置センサーにより採血管用ラック７が止まり、開栓する採血管１がクランプ４０により固定される。続いて前述したような開閉チャック６の移動、開栓作業が行われる。同時に先に開栓した採血管１の開栓確認が開栓確認センサー３０にて行われる。開栓確認センサー３０により開栓がされていない場合には、連続的な作業の中止あるいは開栓されていない採血管１の除去等の作業が第８の発明である開栓システムにより行われる。これは開栓システムの一例を示したに過ぎず、本開栓システムは開栓ブロックの移動、採血管の移動、開栓作業、及びその確認行為等を自動的に行なわせるものである。
【産業上の利用可能性】
【００３９】
分析機器の高度化に伴い、検査工程等における検体の汚染は極力抑制しなければならない。特に臨床検査に供する血液はなおさらのことである。本発明は採血管ごとにその開栓作業において開栓ブロックをディスポーサブルなものとして使用するものであり、かつ低コストであることから、今後の利用が期待できる。
【図面の簡単な説明】
【００４０】
【図１】採血管の断面図
【図２】栓体平面図
【図３】採血管と採血ホルダー
【図４】開栓ブロック概略図
【図５】打ち抜かれた栓体部分と保持ピン
【図６】留部を有する保持ピン
【図７】開栓ブロックが採血管の栓体を打ち抜く図
【図８】開栓ブロックの把持部円筒内壁を把持する開閉チャック
【図９】把持部円筒先端部の内周にリブを付けた開栓ブロック
【図１０】把持部円筒先端部の外周にリブを付けた開栓ブロック
【図１１】開栓ブロックの移動と開栓装置
【図１２】開栓ブロックの各ポジションの平面図
【図１３】採血管の移動システム
【符号の説明】
【００４１】
１  採血管  １１有底管  １２フランジ部  １３開口部
２栓体    ２１ゴム部材  ２２タブ  ２３開栓された（打ち抜かれた）栓体部分
３検体（血液）
４採血ホルダー  ４１採血針  ４２採血針先端部  ４３採血針後端部
５開栓ブロック  ５１開栓部分  ５２把持部分  ５３開栓カッター  
５４保持ピン  ５５（保持ピンの）留部  ５６（把持部分先端の）リブ
５８底面（隔壁）
６開閉チャック  ６１開閉ピン  ６２押出しピン
７採血管用ラック
８開栓ブロック用フィーダー  
９水平スライダー
１０上下スライダー
２０開栓ブロック収容箱
３０開栓確認センサー
４０クランプ
【図１】
2008184168.tif 000003
【図２】
2008184168.tif 000004
【図３】
2008184168.tif 000005
【図４】
2008184168.tif 000006
【図５】
2008184168.tif 000007
【図６】
2008184168.tif 000008
【図７】
2008184168.tif 000009
【図８】
2008184168.tif 000010
【図９】
2008184168.tif 000011
【図１０】
2008184168.tif 000012
【図１１】
2008184168.tif 000013
【図１２】
2008184168.tif 000014
【図１３】
2008184168.tif 000015
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
フィルムシールタイプの栓体を有する採血管の開栓装置であって、採血管の栓体を開栓し、かつ、開栓された栓体部分を保持する開栓ブロックと、該開栓ブロックを把持する開閉チャックと、該開閉チャックを制御する開閉チャック制御手段とを有し、開閉チャックが供給ポジションに移動して開栓ブロックを把持し、続いて開栓ブロックを把持した開閉チャックが開栓ポジションに移動して、開栓ブロックが採血管の栓体を開栓し、開栓された栓体部分を開栓ブロックが保持し、さらに開栓ブロックを把持した開閉チャックが廃棄ポジションに移動して、開閉チャックから開栓ブロックを離脱させる開栓装置において、該開栓ブロックは、底面を有する円筒内に、栓体を開栓する開栓カッターと円筒の軸線上に開栓された栓体部分を刺し抜いて保持する保持ピンとを、底面に垂直に付けた開栓部分と、開閉チャックが、開栓ブロックを把持するため、開栓部分の底面の裏面に付けた筒状の把持部分と、により構成され、該開栓部分の開栓カッターは、円筒と同心円状であり、その先端部はのこぎり刃状とし、保持ピンは、底面を基準として開栓カッターの、のこぎり刃状の先端部の長さより長くしたことを特徴とする開栓ブロック。
【請求項２】
さらに、該開栓部分の円筒の先端部は、採血管開口部のフランジ部を覆うようにした請求項１の開栓ブロック。
【請求項３】
さらに該把持部分の筒状先端部の内周または外周にリブをつけた請求項１乃至請求項２のいずれかの開栓ブロック。
【請求項４】
請求項１乃至請求項３のいずれかの開栓ブロックを使用した請求項１の開栓装置。
【手続補正２】
【補正対象書類名】明細書
【補正対象項目名】００１１
【補正方法】変更
【補正の内容】
【００１１】
すなわち第１の発明は、フィルムシールタイプの栓体を有する採血管の開栓装置であって、採血管の栓体を開栓し、かつ、開栓された栓体部分を保持する開栓ブロックと、該開栓ブロックを把持する開閉チャックと、該開閉チャックを制御する開閉チャック制御手段とを有し、開閉チャックが供給ポジションに移動して開栓ブロックを把持し、続いて開栓ブロックを把持した開閉チャックが開栓ポジションに移動して、開栓ブロックが採血管の栓体を開栓し、開栓された栓体部分を開栓ブロックが保持し、さらに開栓ブロックを把持した開閉チャックが廃棄ポジションに移動して、開閉チャックから開栓ブロックを離脱させることを特徴とする開栓装置である。
【手続補正３】
【補正対象書類名】明細書
【補正対象項目名】００１２
【補正方法】変更
【補正の内容】
【００１２】
開栓ブロックには、採血管の栓体を開栓する手段と、開栓された栓体部分を保持する手段が設けられている。「開栓された栓体部分」としたのは、有底管を封口している栓体のすべてを剥離して開栓するのではなく、栓体の一部を切断等して開栓し、その切断された栓体の一部を開栓ブロックが保持するためである。複数の開栓ブロックがフィーダー等に並べて置かれている供給ポジションにて、１つの開栓ブロックを、開閉チャックが把持し、採血管のある開栓ポジションに移動する。開栓ポジションにて開栓ブロックが採血管の栓体を開栓し、開栓された栓体部分を開栓ブロックが保持する。この栓体部分を保持した開栓ブロックを開閉チャックが把持したまま、廃棄ポジションに移動し、開閉チャックより開栓ブロックを離脱させて、開栓された栓体部分と共に廃棄する。開閉チャックの制御手段は開閉チャックの移動だけではなく、開栓ブロックの把持及び離脱等も制御するものである。供給ポジションとは、開閉チャックが開栓ブロックを把持する位置、開栓ポジションとは、開閉チャックに把持された開栓ブロックが採血管の栓体を開栓する位置、廃棄ポジションとは、開閉チャックが開栓ブロックを離脱させる位置をいう。各ポジションの位置は同一平面上にあるとは限らない。開閉チャックが開栓ブロックを把持する方法としては、開栓ブロックに開閉チャックの把持部分を設けてこの部分を把持する、あるいは、開栓ブロックの外壁を挟んで把持する方法等があるが、把持する方法については問わない。１本の採血管に対し１個の開栓ブロックを使用して開栓し、一度使用した後は廃棄するディスポーザブルな開栓ブロックとして機能する開栓装置である。
【手続補正４】
【補正対象書類名】明細書
【補正対象項目名】００２４
【補正方法】変更
【補正の内容】
【００２４】
開閉チャックを複数連とすることにより開閉チャックの１回の移動で、複数の開栓ブロックを把持し、複数の採血管を開栓させることができ、開栓作業の効率化を図るためである。
【手続補正５】
【補正対象書類名】明細書
【補正対象項目名】００３２
【補正方法】変更
【補正の内容】
【００３２】
図８は把持部分５２の筒状の内壁に開閉チャック６の開閉ピン６１を圧着させて保持させるための開栓ブロック５であり、開閉ピン６１の開閉も開栓ブロック５の動きと同様に開閉チャック制御手段により制御される。図９は把持部分５２の先端部の内周面にリブ５６を付けて、開栓ブロック５が開閉チャックより落下しないようにした開栓ブロック５である。図１０は、把持部分５２の円筒外壁を開閉ピン６１が挟み開栓ブロックを把持する開閉チャック６であり、把持部分５２の先端部の外周面にリブ５６を付けている。さらに開閉チャック６には、開栓ブロック５の離脱を確実にするため図８に示すように押出しピン６２を付けることもできる。押出しピンも開栓ピンと同様に開閉チャック制御手段により制御される。また同様の目的で、図示しないが押出しピンに代わりにバネをつけることもできる。